(57)【要約】【課題】  両面粘着テープの仮接着時の調節変位量を多くとることができ、従って物品の所期の貼着固定を失敗無く効果的に行うことができるようにした両面粘着テープを提供すること。【解決手段】  接着剤層１１と、該接着剤層の粘着面に貼付された剥離シート１２とを有する貼着取付け物品用両面粘着テープ１０において、上記の接着剤層１１が発泡体のような弾性体を支持体とする平面的な仮接着用領域１１ａを有しているようにし、貼着に際し、最初にこの仮接着用領域の剥離シートを剥がし貼着対象面に仮接着するようにする。【選択図】  図１
2006219614.tif 000002
【特許請求の範囲】
【請求項１】
接着剤層と、該接着剤層の粘着面に貼付された剥離シートとを有する貼着取付け物品用両面粘着テープにおいて、
上記の接着剤層が弾性体を支持体とする仮接着用平面的領域を有していることを特徴とする両面粘着テープ。
【請求項２】
上記の弾性体が発泡体であることを特徴とする請求項１に記載の両面粘着テープ。
【請求項３】
上記の仮接着用領域を被覆する剥離シートが他の領域を被覆する剥離シートから分離して剥ぎ取り可能であることを特徴とする請求項１又は２に記載の両面粘着テープ。
【請求項４】
上記の仮接着用領域が両面粘着テープの縁辺側に偏って設けられていることを特徴とする請求項１〜３のいずれかに記載の両面粘着テープ。
【請求項５】
上記の仮接着用領域が両面粘着テープの中央部またはその近辺に設けられていることを特徴とする請求項１〜３のいずれかに記載の両面粘着テープ。
【請求項６】
請求項１〜５に記載の両面粘着テープが予め固着面に貼着されていることを特徴とする両面粘着テープ着装物品。
【請求項７】
簡易小型防犯用侵入者検知器を備えたハウジングであることを特徴とする請求項６に記載の両面粘着テープ着装物品。
【発明の詳細な説明】
【技術分野】
【０００１】
本発明は、物品を対象物の表面に貼着固定するために用いられる両面粘着テープ、及びこの両面粘着テープを着装した固着面を有する物品に関する。
【背景技術】
【０００２】
一般に、両面粘着テープは、片側の剥離シートを剥いで粘着面を露出させ、物品の固着面に貼付し、次いで他方側の剥離シートを剥ぎ、粘着面を露出させて物品を接着対象面に貼着固定する方法で使用されるか、あるいは最初から片側の粘着面が物品の固着面に貼着されている両面粘着テープの場合には、表面の剥離シートを剥ぎ、粘着面を露出させて物品を接着対象面に貼着固定する方法で使用される。
【０００３】
何れの使用方法を採用するにしても、従来の両面粘着テープにおいては、剥離シートを剥がし、粘着面を固着対象面に押し当てた後は、粘着面を固着対象面から引き剥がさない限り、物品の位置調整を行うことは困難である。特に、接着材が強力なものである場合、一度貼着した後の剥ぎ取りは非常に困難であり、行い得たとしても接着剤の一部が固着対象面側に乗り移ってしまい、再貼着した場合の接着力が格段に低下してしまう虞がある。
【０００４】
そこで、貼着を完全に行う前に対象面に対する物品の位置調整を行えるようにした方法が下記特許文献に記載されている。この文献に記載されている従来技術によれば、両面粘着テープの剥離シートが少なくとも２以上の分割片に分離形成されており、物品を対象面に貼着する場合、分割片の１枚を剥がし、露出した一部の粘着面のみを対象面に仮接着し、このように接着力が不充分な仮接着の状況下で物品を動かして正確な位置調整を行い、次いで残りの剥離シートを剥いで粘着面全面による完全な貼着を行うようにしている。
【０００５】
【特許文献１】特開２００１−２４３５６１号公報
【発明の開示】
【発明が解決しようとする課題】
【０００６】
しかしながら、一般に、両面粘着テープには、支持体として紙及び布など変位自由度の少ない材料が使用されているため、上記従来技術のように一部分のみを仮接着した場合であっても、比較的微小な調節変位量しかもたらされず、希望の調整量が得られない場合には、仮接着箇所を剥がして再度仮接着を試行することになるが、それに伴う接着力の低下は避けられず、従って満足のいく貼着結果を得るためにはある程度の技量を必要とすることになる。
【０００７】
従って、本発明の目的は、両面粘着テープの仮接着時の調節変位量を多くとることができ、従って物品の所期の貼着固定を失敗無く効果的に行うことができるようにすることである。
【課題を解決するための手段】
【０００８】
上記目的を達成する請求項１に記載の発明は、接着剤層と、該接着剤層の粘着面に貼付された剥離シートとを有する貼着取付け物品用両面粘着テープにおいて、上記の接着剤層が弾性体を支持体とする仮接着用平面的領域を有していることを特徴とする。
【０００９】
請求項１に記載の発明によれば、弾性体を支持体とする仮接着用領域の全体またはその一部が露出するように剥離シートを剥ぎ、露出された領域のみを接着対象面に接着すれば、その領域の弾性が両面粘着テープの平面内での側方への移動または回転的な移動を比較的大きな範囲で許容するので、接着対象面に対する両面粘着テープの位置調整が比較的大幅な範囲で達成可能であり、位置調整後に残余の剥離シートを剥ぎ、露出した粘着面を接着対象面に接着することにより、両面粘着テープを所期の位置へ効果的に貼着することができる。
【００１０】
上記の弾性体が例えばスポンジのような発泡体であることにより、位置調整がより大きな範囲で可能である。
【００１１】
上記の仮接着用領域を被覆する剥離シートが他の領域を被覆する剥離シートから分離して剥ぎ取り可能であるようにすれば、仮接着用領域のみを簡単に露出させることができ、仮接着作業が容易になる。
【００１２】
上記の仮接着用領域が両面粘着テープの縁辺側に片寄って設けられているようにすれば、接着テープの一縁辺側で仮接着し、他方縁辺側を角度的に変位させて位置調節することができる。
【００１３】
また、上記の仮接着用領域が両面粘着テープの中央部またはその近辺に設けられているようにすれば、接着テープの中央部で仮接着し、それを中心に接着テープを角度的に変位させて位置調節することができる。
【００１４】
上記両面粘着テープが予め固着面に着装してある物品によれば、位置調整許容度が大きいので物品を目的の箇所に失敗なく正確に貼着固定することができる。
【００１５】
両面粘着テープ着装物品が簡易小型防犯用侵入者検知器を備えたハウジングであることにより、このハウジングを建物の窓や扉などに正確に位置設定して貼着固定すれば、簡単且つ少ない経費で建物全体の防犯対策を講じることができる。
【発明の効果】
【００１６】
本発明によれば、両面粘着テープの接着剤層が弾性体を支持体とする平面的な仮接着用領域を有していることにより、この両面粘着テープを使用して物品を固着対象面に貼着固定する場合の位置調整が容易に且つ比較的大幅な調整量で行えるようになり、従って固定位置が正確であるべき物品の貼着固定が失敗なく容易に行えるという効果が得られる。
【発明を実施するための最良の形態】
【００１７】
以下、本発明を実施するため最良の形態を、図面に基づいて説明する。
【００１８】
［第１の実施の形態］
図１および図２は本発明による両面粘着テープの第１の実施形態を示しており、この実施形態では両面粘着テープを簡易小型防犯用侵入者検知器に着装した場合を例示している。図１および図２は前記検知器を貼着固定面側から見た斜視図である。
【００１９】
図中、１０は両面粘着テープ、２０は簡易小型防犯用侵入者検知器である。この検知器２０は電源電池、圧電素子、比較回路、警報部、発光ダイオードおよび他の必要な機能部品を収容しており、建物の窓ガラス、アルミサッシのクレセント錠近辺、或いはドアなどに貼着固定して使用されるもので、侵入者が例えばガラス板の破壊行為をした際に発生する振動を電圧信号に変換する圧電素子からの信号を警報部へ送信し、警報ブザーを時間差で初期音圧鳴動、次いで、高音圧鳴動させ、更に発行ダイオードを点滅させ、居住者などへ不法侵入者を検知したことを報知するものである。検知器の上記構成要素は例示的なものであって、上記以外の要素を有しているものであってもよいことはもちろんである。
【００２０】
両面粘着テープ１０は接着剤層１１と剥離シート１２とを有しており、接着剤層１１の一方の粘着面は検知器２０の貼着固定面２１に接着し、他方の粘着面は全面が剥離シート１２に覆われている。
【００２１】
接着剤層１１は支持体に接着剤を含浸或いは塗布した構造を有しているが、長手方向端部の所定領域１１ａの支持体は弾性体、特に発泡体で形成され、残余の領域１１ｂは紙または不織布にて形成されている。
【００２２】
上記発泡体は、例えば、ポリエチレン、ポリプロピレン、ポリブタジエン、ポリイソブチレン、ポリアクリル酸エステル、ポリエステル、ポリエーテル、エチレン−プロピレン共重合体ポリマー、アクリル系ゴム、ポリウレタン、その他のエラストマー等からなるゴム系発泡体である。特に、極性の小さいポリエチレンやポリプロピレン等のオレフィン系樹脂やポリブタジエン、ポリイソブチレン等の弾性体からなる発泡体が好ましい。
【００２３】
発泡体の発泡セル構造は、独立気泡、連続気泡、或いはそれら両者が混在したものであってもよい。
【００２４】
発泡体の発泡倍率は３倍から５０倍が望ましく、特に５倍から４０倍が好ましい。３倍未満では十分な柔軟性が得られず、被着体面に対する凹凸追従性が劣る欠点がある。５０倍を超える場合は発泡体の破断時強度、層間強度のいずれも低下するため、両面粘着テープの位置調整に際して、発泡体への応力負荷による発泡体内部の層間破壊と変位量が大きく、位置固定困難となり、貼り付け作業性の低下を招き、好ましくない。
【００２５】
支持体としての発泡体の厚みは、０．１ｍｍ以上、３．０ｍｍ以下が好ましく、特に０．２ｍｍ以上、２．０ｍｍ以下が好ましい。破断時強度は１Ｋｇｆ／ｃｍ2以上、１００Ｋｇｆ／ｃｍ2以下が好ましく、特に１０Ｋｇｆ／ｃｍ2以上、５０Ｋｇｆ／ｃｍ2以下が好まし。破断時伸び率は１００％以上、５００％以下が好ましく、特に２００％以上、４００％以下が好ましい。
【００２６】
上記弾性体として、上記発泡体以外に、耐久性、耐候性のよいポリウレタンゴム、シリコンゴム等も使用可能であり、これらゴムと上記発泡体とを併用してもよい。併用の場合は、これら材料を層状に重ね合わせて弾性支持体部分が形成される。
【００２７】
上記弾性支持体部分に塗布される粘着剤層の塗布厚みは３０μｍ以上、５００μｍ以下が好ましい。
【００２８】
上記簡易小型防犯用侵入者検知器に着装される両面粘着テープの厚さは、剥離シートの厚さを含めて、屋内居住空間での美観的調和、侵入者への隠匿、不感知をもたらす寸法になされ、更にサッシのガラス板に貼り付ける場合は、引き違い窓の開閉に邪魔にならない寸法になされる。
【００２９】
上記検知器２０を例えば窓ガラスの対象面へ貼着固定する場合、先ず、発泡体を支持体とする接着剤層領域１１ａを覆う剥離シート１２が剥がされ、その領域の粘着面が露出される。その際、剥がされた剥離シート部分は折り返された状態に置かれる。その状態で検知器２０の貼着固定面２１が窓ガラスの所定個所へ押し当てられ、上記領域１１ａでの仮接着が行われる。次いで、検知器２０が、発泡体製支持体部分の許容する範囲でガラス面に沿って横方向または回転方向へ位置調整移動され、その後、剥離シート１２全部を剥ぎ取って残余の粘着面を露出させ、ガラス面へ押し当てて接着する。上記位置調整の際、上記領域１１ａが許容する移動量は比較的大きいので、比較的大きな誤差を補って、検知器２０を正確な位置へ位置調整することを可能にする。
【００３０】
［第２の実施の形態］
図３及び図４は、本発明による両面粘着テープの第２の実施形態を示しており、この実施形態でも第１実施の形態と同様に、両面粘着テープ１０を簡易小型防犯用侵入者検知器２０に着装した場合を例示している。図３および図４は同検知器を貼着固定面側からみた斜視図である。
【００３１】
この第２実施形態では、発泡体を支持体とする接着剤層領域１１ａの剥離シート部分１２ａが他のシート部分１２ｂから分離して剥がすことができるようになされており、両面粘着テープ１０のその他の構成については第１実施形態の場合と同様である。
【００３２】
この第２実施形態による検知器２０のガラス面への貼着は、最初に剥離シート部分１２ａが剥ぎ取られ、発泡体接着剤層領域１１ａが露出される以外は上記の第２実施形態の場合と基本的に同様である。
【００３３】
［第３の実施の形態］
図５は、本発明による両面粘着テープの第３の実施形態を示しており、この実施形態でも第１実施の形態と同様に、両面粘着テープ１０を簡易小型防犯用侵入者検知器２０に着装した場合を例示している。図５は同検知器を貼着固定面側からみた斜視図である。
【００３４】
この第３実施形態では接着剤層１１の発泡体を支持体とする接着剤層領域は両面粘着テープ１０の中央に設けられており、剥離シート１２は、前記発泡体接着剤層領域を覆う剥離シート部分１２ｃと、その他の接着剤層領域を覆う剥離シート部分１２ｄとから成っている。
【００３５】
この第３実施形態による検知器２０のガラス面への貼着は、最初に剥離シート部分１２ｃが剥ぎ取られ、その下側の発泡体接着剤層領域が露出される以外は上記の第１実施形態の場合と基本的に同様である。
【００３６】
なお、本発明は上記実施の形態に限定されることなく、発明の趣旨を逸脱しない範囲で種々変更可能である。
【００３７】
例えば、発泡体接着剤層領域は接着剤層の上記以外の様々な範囲に設けておくことができ、また、場合によっては接着剤層の支持体全体が発泡体から成っていてもよい。また、発泡体接着剤層領域の平面的形状は、上記のような矩形、円形形状以外にも様々に選択し得るものである。さらに、発泡体接着剤層領域を他の接着剤層から離隔して設けることもできる。
【図面の簡単な説明】
【００３８】
【図１】簡易小型防犯用侵入者検知器に着装された本発明による両面粘着テープの第１実施形態を、剥離シートを一部剥いで、弾性体接着剤層領域を露呈させた状態で示す斜視図である。
【図２】図１の両面粘着テープの剥離シートを更に部分的に剥ぎ進めて、他の接着剤層領域の一部を露呈させた状態で示す斜視図である。
【図３】簡易小型防犯用侵入者検知器に着装された本発明による両面粘着テープの第２実施形態を、剥離シートを一部剥ぎ取って、弾性体接着剤層領域を露呈させた状態で示す斜視図である。
【図４】図３の両面粘着テープの他の剥離シートを一部剥いで、他の接着剤層領域の一部を露呈させた状態で示す斜視図である。
【図５】簡易小型防犯用侵入者検知器に着装された本発明による両面粘着テープの第３実施形態を示す斜視図である。
【符号の説明】
【００３９】
１０  両面粘着テープ
１１  接着剤層
１１ａ  支持体が発泡体である領域
１１ｂ  支持体が紙または不織布である領域
１２  剥離シート
１２ａ  剥離シート部分
１２ｂ  剥離シート部分
２０  簡易小型防犯用侵入者検知器
２１  貼着固定面
【図１】
2006219614.tif 000003
【図２】
2006219614.tif 000004
【図３】
2006219614.tif 000005
【図４】
2006219614.tif 000006
【図５】
2006219614.tif 000007